(57)【要約】【課題】  建物内においてエレベータを利用した救命活動を迅速に行うことを可能にする救命支援システム、およびこれに利用するエレベータ制御装置、エレベータ制御方法を提供する。【解決手段】  実施形態によれば救命支援システムは、ＡＥＤ取り外し検知部とＡＥＤ取り外し信号出力部とエレベータ認識部と制御部とを有する。ＡＥＤ取り外し検知部は、複数階を有する建物内に設置されたＡＥＤが取り外されたときにこれを検知する。ＡＥＤ取り外し信号出力部は、ＡＥＤが取り外されたことを検知したときにＡＥＤ取り外し信号を出力する。エレベータ認識部は、ＡＥＤ取り外し信号が出力されたときに、ＡＥＤ設置階に最も早く到着するエレベータを救命運転に使用するエレベータとして認識する。制御部は、救命運転に使用すると認識されたエレベータを救命専用運転に切り替え、当該エレベータの乗りかごをＡＥＤ設置階に直行運転させる。【選択図】図１
2013049522.tif 000002
【特許請求の範囲】
【請求項１】
複数階を有する建物内のいずれかの階に着脱可能な状態で設置されたＡＥＤと、当該建物内に設置された複数のエレベータとに接続された救命支援システムにおいて、
前記ＡＥＤが取り外されたときにこれを検知するＡＥＤ取り外し検知部と、
前記ＡＥＤ取り外し検知部で前記ＡＥＤが取り外されたことを検知したときに、ＡＥＤ取り外し信号を出力するＡＥＤ取り外し信号出力部と、
前記ＡＥＤ取り外し信号出力部からＡＥＤ取り外し信号が出力されたときに、前記複数のエレベータのうち前記ＡＥＤ設置階に最も早く到着するエレベータを救命運転に使用するエレベータとして認識するエレベータ認識部と、
前記エレベータ認識部で救命運転に使用すると認識されたエレベータを救命専用運転に切り替え、当該エレベータの乗りかごを前記ＡＥＤ設置階に直行運転させる制御部と、
を有することを特徴とする救命支援システム。
【請求項２】
前記ＡＥＤ取り外し信号出力部は、警報音の鳴動を前記ＡＥＤ取り外し信号の出力として含む場合、当該警報音の鳴動を検知する警報音検知部をさらに有し、
前記エレベータ認識部は、前記警報音検知部で警報音の鳴動が検知されたときに、前記複数のエレベータのうち前記ＡＥＤ設置階に最も早く到着するエレベータを救命運転に使用するエレベータとして認識する
ことを特徴とする請求項１に記載の救命支援システム。
【請求項３】
複数階を有する建物内のいずれかの階に着脱可能な状態で設置されたＡＥＤが取り外されたことが検知されたときに、ＡＥＤ取り外し信号を出力するＡＥＤ取り外し信号出力装置と、当該建物内に設置された複数のエレベータとに接続されたエレベータ制御装置において、
前記ＡＥＤ取り外し信号出力装置からＡＥＤ取り外し信号が出力されたときに、前記複数のエレベータのうち前記ＡＥＤ設置階に最も早く到着するエレベータを救命運転に使用するエレベータとして認識するエレベータ認識部と、
前記エレベータ認識部で救命運転に使用すると認識されたエレベータを救命専用運転に切り替え、当該エレベータの乗りかごを前記ＡＥＤ設置階に直行運転させる制御部と、
を有することを特徴とするエレベータ制御装置。
【請求項４】
前記制御部は、前記救命専用運転に切り替えたエレベータについて、既に受け付けられたホール呼び登録および乗りかごの行き先登録をキャンセルして以後のホール呼び登録の受け付けを禁止するとともに、次の戸開までの新たな乗りかごの行き先登録の受け付けを禁止する
ことを特徴とする請求項３に記載のエレベータ制御装置。
【請求項５】
前記エレベータ認識部は、
前記救命専用運転に切り替えられたエレベータについて、前記ＡＥＤ設置階で乗車した救命活動を行う利用者の操作により直行運転された行き先階を目的階として記憶し、
前記救命専用運転に切り替えられたエレベータの乗りかごが前記目的階に到着して戸開すると、前記複数のエレベータのうち、寝台用エレベータ、他のエレベータよりも大きいエレベータ、利用者のいないエレベータ、または救急隊が到着する基準階に最も早く到着するエレベータを救急隊対応運転に使用するエレベータとして認識し、
前記制御部は、
前記救命専用運転に切り替えられたエレベータの乗りかごを前記ＡＥＤ設置階で戸開し、乗車した前記救命活動を行う利用者の操作により登録された行き先階に直行運転し、
前記エレベータ認識部において前記救急隊対応運転に使用すると認識されたエレベータを救急隊対応運転に切り替え、当該エレベータの乗りかごを前記基準階に直行運転し、その後前記エレベータ認識部で記憶した目的階を、行き先階として自動登録する
ことを特徴とする請求項３または４に記載のエレベータ制御装置。
【請求項６】
前記制御部は、前記救急隊対応運転に切り替えられたエレベータについて、既に受け付けられたホール呼び登録および乗りかごの行き先登録をキャンセルして以後のホール呼び登録および乗りかごの行き先登録の受け付けを禁止する
ことを特徴とする請求項５に記載のエレベータ制御装置。
【請求項７】
前記制御部は、前記救急隊対応運転に切り替えられたエレベータが、前記自動登録されたことにより前記目的階に到着した後戸閉操作されると、前記基準階に直行運転する
ことを特徴とする請求項５または６に記載のエレベータ制御装置。
【請求項８】
前記制御部は、前記運転が切り替えられたエレベータの、エレベータホールに設置されたホール案内表示画面およびかご内に設置されたかご内案内表示画面に、運転が切り替えられた旨を報知するための表示を行うとともに、かご内に設置された音声出力装置から運転が切り替えられた旨を報知するための放送を出力する
ことを特徴とする請求項３〜７いずれか１項に記載のエレベータ制御装置。
【請求項９】
前記制御部は、予め設定されたかご内ボタンが操作されたときに、当該救命活動を行う者の利用であると認識し、当該エレベータのかご内の行き先登録を受け付ける
ことを特徴とする請求項５〜８いずれか１項に記載のエレベータ制御装置。
【請求項１０】
複数階を有する建物内のいずれかの階に着脱可能な状態で設置されたＡＥＤが取り外されたことが検知されたときに、ＡＥＤ取り外し信号を出力するＡＥＤ取り外し信号出力装置と、当該建物内に設置された複数のエレベータとに接続されたエレベータ制御装置が、
前記ＡＥＤ取り外し信号出力装置からＡＥＤ取り外し信号が出力されたときに、前記複数のエレベータのうち前記ＡＥＤ設置階に最も早く到着するエレベータを救命運転に使用するエレベータとして認識し、
前記救命運転に使用すると認識されたエレベータを救命専用運転に切り替え、当該エレベータの乗りかごを前記ＡＥＤ設置階に直行運転させる
ことを特徴とするエレベータ制御方法。
【発明の詳細な説明】
【技術分野】
【０００１】
本発明の実施形態は、救命支援システム、およびこれに利用するエレベータ制御装置、エレベータ制御方法に関する。
【背景技術】
【０００２】
現在、多くの建物では所定フロアに自動体外式除細動器（Automated External Defibrillator；以下「ＡＥＤ」と称する。）が設置され、救命活動に使用されている。救命活動においてＡＥＤを所定フロアまで取りに行くときや取り外したＡＥＤを患者の元に運ぶときにエレベータを利用する際には、通常時と同様に、使用者の手動操作によりエレベータの呼登録が行われる。さらに、ＡＥＤによる救命活動後に救急隊が到着し患者の元に移動する際も、救急隊員の手動操作によりエレベータの呼登録が行われる。
【０００３】
これらの場合、救命活動に関係しない他者の操作によりエレベータの呼が発生したときには、その呼にも応答しながらエレベータの運転制御が行われる。
【０００４】
しかし、患者の救命活動は一刻も早く行うことが必要である。人間は心室細動を起こすと１分経過するごとに約７〜１０％救命率が下がると言われているが、日本では救急車が現場に到着するまでにおよそ６〜７分かかり、７分経過時の生存率は３０％にまで下がってしまう。
【先行技術文献】
【特許文献】
【０００５】
【特許文献１】特開２００８−２６５８９８号公報
【発明の概要】
【発明が解決しようとする課題】
【０００６】
そこで救命活動を迅速に行うため、エレベータの乗り場等に救命活動時使用のための専用ボタンを設置し、このボタンが操作されたときには他の呼を受け付けずに救命活動の関係者のみ使用可能な専用運転に切り替える技術がある。
【０００７】
しかし、このような専用ボタンを新たに設置するにはコストや手間がかかり、実用性に乏しいという問題があった。
【０００８】
本発明は上記事情に鑑みてなされたものであり、建物内においてエレベータを利用した救命活動を迅速に行うことを可能にする救命支援システム、およびこれに利用するエレベータ制御装置、エレベータ制御方法を提供することを目的とする。
【課題を解決するための手段】
【０００９】
上記目的を達成するための本発明の実施形態によれば救命支援システムは、ＡＥＤ取り外し検知部とＡＥＤ取り外し信号出力部とエレベータ認識部と制御部とを有する。ＡＥＤ取り外し検知部は、複数階を有する建物内に設置されたＡＥＤが取り外されたときにこれを検知する。ＡＥＤ取り外し信号出力部は、ＡＥＤが取り外されたことを検知したときにＡＥＤ取り外し信号を出力する。エレベータ認識部は、ＡＥＤ取り外し信号が出力されたときに、ＡＥＤ設置階に最も早く到着するエレベータを救命運転に使用するエレベータとして認識する。制御部は、救命運転に使用すると認識されたエレベータを救命専用運転に切り替え、当該エレベータの乗りかごをＡＥＤ設置階に直行運転させる。
【図面の簡単な説明】
【００１０】
【図１】第１実施形態による救命支援システムの構成を示すブロック図。
【図２】第１実施形態による救命支援システムに利用されるエレベータの、（ａ）エレベータホールの正面図、（ｂ）乗りかご内の構成を示す斜視図。
【図３】第１実施形態による救命支援システムの動作を示すシーケンス図。
【図４】第１実施形態による救命支援システムにおける救命専用運転制御切り替え処理の動作を示すフローチャート。
【図５】第１実施形態による救命支援システムにおける救命専用運転制御処理の動作を示すフローチャート。
【図６】第１実施形態による救命支援システムにおける救急隊対応運転に使用するエレベータの選択処理の動作を示すフローチャート。
【図７】第１実施形態による救命支援システムにおける救急隊対応運転制御切り替え処理の動作を示すフローチャート。
【図８】第１実施形態による救命支援システムにおける救急隊対応制御処理の動作を示すフローチャート。
【図９】第２実施形態による救命支援システムの構成を示すブロック図。
【図１０】第２実施形態による救命支援システムに利用されるエレベータのエレベータホールの正面図。
【図１１】第２実施形態による救命支援システムの動作を示すシーケンス図。
【図１２】他の実施形態による救命支援システムにおける認証処理の動作を示すフローチャート。
【図１３】他の実施形態による救命支援システムの構成を示すブロック図。
【発明を実施するための形態】
【００１１】
本発明の実施形態として、管理対象の建物の中で病人が発生したときに、救命活動として、介護者によるＡＥＤの運搬および救急隊による患者の搬送を迅速に行うための、エレベータを利用した救命支援システムについて説明する。
【００１２】
《第１実施形態》
第１実施形態として、ＡＥＤを収納するＡＥＤ収納装置と複数のエレベータを管理するエレベータ群管理装置とが信号接続された救命支援システムについて説明する。
【００１３】
〈第１実施形態によるエレベータを利用した救命支援システムの構成〉
第１実施形態によるエレベータを利用した救命支援システムの構成について、図１を参照して説明する。
【００１４】
本実施形態による救命支援システム１は、複数階を有する建物内のいずれかの階に設置されたＡＥＤ収納装置１０と、当該建物内に設置された第１エレベータ２０−１、第２エレベータ２０−２、第３エレベータ２０−３、および第４エレベータ２０−４と、ＡＥＤ収納装置１０および第１エレベータ２０−１〜第４エレベータ２０−４に接続されたエレベータ群管理装置３０とを有する。これらの第１エレベータ２０−１〜第４エレベータ２０−４と、エレベータ群管理装置３０とにより、エレベータシステムが構築されている。
【００１５】
本実施形態においてＡＥＤ収納装置１０は建物の１階に設置されているものとする。ＡＥＤ収納装置１０は、着脱可能な状態で収納されたＡＥＤ１１と、このＡＥＤ１１が取り外されたときにこれを検知するＡＥＤ取り外し検知部１２と、ＡＥＤ取り外し検知部１２でＡＥＤ１１が取り外されたことが検知されたときにこれを通知するためのＡＥＤ取り外し信号を生成し、エレベータ群管理装置３０に出力するＡＥＤ取り外し信号出力部１３とを有する。ＡＥＤ取り外し検知部１２は、例えばリミットスイッチ等の接点で構成されたセンサである。
【００１６】
第１エレベータ２０−１〜第３エレベータ２０−３の各構成を、図２（ａ）および（ｂ）を参照して説明する。図２（ａ）は、建物内の各階のエレベータホールに設置されたホールドア２１と、ホール案内表示画面２２と、ホール呼びボタン群２３とを示す。また図２（ｂ）は、昇降路（図示せず）を昇降する乗りかご２４と、乗りかご２４内に設置された音声出力装置２５、かご内案内表示画面２６、およびかご内ボタン群２７と、乗りかご２４に接続された制御装置２８を示す。
【００１７】
乗りかご２４は、各エレベータに設置された制御装置２８の制御により昇降路を昇降して各階へ移動する。
【００１８】
またかご内ボタン群２７には、行き先階を指定するための行き先登録ボタンや戸開ボタン、戸閉ボタン等が含まれる。
【００１９】
また制御装置２８は乗りかご２４に接続され、通常時は、第１エレベータ２０−１〜第４エレベータ２０−４の乗りかご２４の位置情報を取得するとともに、利用者によるホール呼びボタン群２３の操作情報、およびかご内ボタン群２７の操作情報を取得し、これらに基づいて第１エレベータ２０−１〜第４エレベータ２０−４の乗りかご２４の昇降運転を制御する。また、エレベータ群管理装置３０から救命運転命令が送信されたときには、救命活動に関連する動作を優先する救命専用運転制御を行うように切り替える。
【００２０】
エレベータ群管理装置３０は、ＡＥＤ取り外し信号入力部３１と、ＥＬ認識部３２と、送受信部３３とを有する。
【００２１】
ＡＥＤ取り外し信号入力部３１は、ＡＥＤ収納装置１０のＡＥＤ取り外し信号出力部１３から出力されたＡＥＤ取り外し信号を入力する。
【００２２】
ＥＬ認識部３２は、ＡＥＤ取り外し信号入力部３１からＡＥＤ取り外し信号が入力されたときに、第１エレベータ２０−１〜第４エレベータ２０−４の中から救命活動に利用するエレベータを認識し、救命運転命令を出力する。
【００２３】
送受信部３３は、第１エレベータ２０−１〜第４エレベータ２０−４の制御装置２８との情報の送受信を行う。
【００２４】
〈第１実施形態による救命活動支援のためのエレベータ制御装置を利用した救命支援システムの動作〉
次に、本実施形態による救命支援システム１の動作について、図３のフローチャートを参照して説明する。
【００２５】
まず通常時には、当該建物の第１エレベータ２０−１〜第４エレベータ２０−４ではそれぞれ通常運転制御が行われる（Ｓ１、Ｓ２）。通常運転制御では、第１エレベータ２０−１〜第４エレベータ２０−４の乗りかご２４の位置情報が取得されるとともに、利用者によるホール呼びボタン群２３の操作情報、およびかご内ボタン群２７の操作情報が取得され、これらに基づいて第１エレベータ〜第４エレベータの乗りかご２４の昇降運転が制御される。
【００２６】
通常運転制御が行われている状態で、当該建物内で病人が発生したときに、介護にあたる者がＡＥＤ収納装置１０の設置階（本実施形態においては「１階」とする。）に行き収納されているＡＥＤ１１を取り外すと、ＡＥＤ収納装置１０のＡＥＤ取り外し検知部１２においてＡＥＤ１１の取り外しが検知される（Ｓ３）。そして、ＡＥＤ取り外し信号出力部１３においてＡＥＤ取り外し信号が生成され、エレベータ群管理装置３０に出力される（Ｓ４）。
【００２７】
エレベータ群管理装置３０では、ＡＥＤ収納装置１０から送信されたＡＥＤ取り外し信号がＡＥＤ取り外し信号入力部３１から入力され、ＥＬ認識部３２に送出される。ＡＥＤ取り外し信号が取得されたＥＬ認識部３２では、第１エレベータ２０−１〜第４エレベータ２０−４の中からＡＥＤ収納装置１０の設置階である１階に最も早く到着可能なエレベータが救命活動に利用するエレベータとして認識される（Ｓ５）。そして認識されたエレベータに、救命運転命令が出力される（Ｓ６）。ここでは、第１エレベータ２０−１が救命活動に利用するエレベータとして認識され、救命運転命令が出力されたものとする。
【００２８】
救命運転命令が出力された第１エレベータ２０−１では、制御装置２８の動作が通常運転制御から救命専用運転制御に切り替えられる（Ｓ７）。
【００２９】
制御装置２８における救命専用運転制御への切り替え処理について、図４のフローチャートを参照して説明する。
【００３０】
制御装置２８において救命運転命令が取得されると救命専用運転制御切り替え処理が開始され、救命専用運転を行う第１エレベータ２０−１の各階のホール案内表示画面２２に救命専用運転対応中である旨を報知するための表示が行われる。また、第１エレベータ２０−１のホール呼びボタン群２３が操作されたことにより既に登録されたホール呼び登録がキャンセルされるとともに、以後のホール呼び登録の受け付けが禁止される（Ｓ２１）。
【００３１】
次に、この第１エレベータ２０−１の乗りかご２４がＡＥＤ１１の設置階である１階にあるか否かが判定され、乗りかご２４が１階にいないと判定されたとき（Ｓ２２の「YES」）は、当該第１エレベータ２０−１のかご内ボタン群２７の操作による行き先登録があるか否かがさらに判定される（Ｓ２３）。
【００３２】
ここで行き先登録があるとき（Ｓ２３の「YES」）には、この行き先登録がキャンセルされ、次の戸開まで新たな行き先登録の受け付けが禁止されるとともに、かご内案内表示画面２６に救命専用運転対応に切り替える旨を報知するための表示が行われ、さらに音声出力装置２５から乗りかご２４内に同内容の案内が放送される（Ｓ２４）。
【００３３】
そして、ステップＳ２４の処理が実行されると、第１エレベータ２０−１の乗りかご２４がＡＥＤ１１設置階である１階に直行運転され、救命活動専用運転に切り替えられる（Ｓ２５）。また、ステップＳ２３において行き先登録がないと判定されたとき（Ｓ２３の「NO」）にも、第１エレベータ２０−１の乗りかご２４がＡＥＤ１１設置階である１階に直行運転され、救命活動専用運転に切り替えられる（Ｓ２５）。ステップＳ２２において乗りかご２４が１階にあると判定されたとき（Ｓ２２の「NO」）には、そのまま救命活動専用運転に切り替えられる。以上により救命専用運転制御切り替え処理が終了する。
【００３４】
図３のフローチャートに戻り、第１エレベータ２０−１の制御装置２８において、さらに救命専用運転制御処理が実行される（Ｓ８）。救命専用運転制御処理について、図５のフローチャートを参照して説明する。
【００３５】
制御装置２８において救命専用運転制御へ切り替えられ救命専用運転制御処理が開始されると、乗りかご２４がＡＥＤ１１設置階である１階で戸開し、待機する（Ｓ３１）。
【００３６】
乗りかご２４が戸開すると、かご内案内表示画面２６に当該第１エレベータ２０−１への誤乗車防止のための表示が行われ、さらに音声出力装置２５から乗りかご２４内に同内容の案内が放送される（Ｓ３２）。
【００３７】
次に、乗りかご２４が戸開している状態で一定時間内に、ＡＥＤ１１を取得した介護者によりかご内ボタン群２７の行き先登録ボタンが操作され患者のいる階（本実施形態においては「４階」とする。）が指定されると、制御装置２８において行き先登録の発生が検知される（Ｓ３３の「YES」）。
【００３８】
行き先登録の発生が検知されると、乗りかご２４が戸閉され、誤乗車防止の案内放送が停止される（Ｓ３４）。
【００３９】
次に、検知された行き先登録が受け付けられ（Ｓ３５）、指定された目的階である４階に乗りかご２４が直行運転される（Ｓ３６）。
【００４０】
目的階に乗りかご２４が到着して戸開されると（Ｓ３７）、制御装置２８において乗りかご２４が戸開した４階が目的階として認識され、この目的階の情報がエレベータ群管理装置３０に送信されＥＬ認識部３２に記録される（Ｓ３８）。
【００４１】
そして、第１エレベータ２０−１が救命専用運転制御から通常運転制御に切り替えられ、かご内案内表示画面２６の誤乗車防止の表示が終了される（Ｓ３９）。以上により救命専用運転制御処理が終了する。
【００４２】
図３のフローチャートに戻り、第１エレベータ２０−１の制御装置２８において救命専用運転制御処理が終了した旨の情報がエレベータ群管理装置３０の送受信部３３において取得され、ＥＬ認識部３２に送出される。情報が取得されたＥＬ認識部３２では、救急隊が到着する基準階（本実施形態においては「１階」とする。）に救急隊対応運転に使用するエレベータを待機させるためのエレベータ認識処理が実行される（Ｓ９）。救急隊対応運転に使用するエレベータの認識処理について、図６のフローチャートを参照して説明する。
【００４３】
ＥＬ認識部３２において救命専用運転制御処理が終了したことが検知されると救急隊対応運転に使用するエレベータの認識処理が開始される。救急隊対応運転に使用するエレベータの認識処理においては、まず当該建物内に寝台用エレベータがあるか否かが判定される（Ｓ４１）。寝台用エレベータがある場合（Ｓ４１の「NO」）は、当該エレベータが救急隊対応運転に使用するエレベータとして認識される（Ｓ４２）。
【００４４】
ステップＳ４１において寝台用エレベータがないと判定されたとき（Ｓ４１の「YES」）は、当該建物内に他のエレベータに比べて大きめのエレベータがあるか否かが判定される（Ｓ４３）。大きめのエレベータがある場合（Ｓ４３の「NO」）は、当該エレベータが救急隊対応運転に使用するエレベータとして認識される（Ｓ４２）。
【００４５】
ステップＳ４３において大きめのエレベータがないと判定されたとき（Ｓ４３の「YES」）は、さらに当該建物内のエレベータ２０−１〜２０−４の中で、行き先登録が発生しておらず現在利用者がいないと判断されるエレベータがあるか否かが判定される（Ｓ４４）。利用者がいないエレベータがある場合（Ｓ４４の「NO」）は、当該エレベータが救急隊対応運転に使用するエレベータとして認識される（Ｓ４２）。
【００４６】
ステップＳ４４において利用者がいないエレベータがないと判定されたとき（Ｓ４４の「YES」）は、基準階（１階）に最も早く到着可能なエレベータが救急隊対応運転に使用するエレベータとして認識される（Ｓ４５）。以上により救急隊対応運転に使用するエレベータの認識処理が終了する。
【００４７】
図３のフローチャートに戻り、エレベータ群管理装置３０のＥＬ認識部３２で認識されたエレベータに、救急隊対応運転命令が出力される。ここでは、第３エレベータ２０−３が救急隊対応運転に使用するエレベータとして認識され、送受信部３３から救急隊対応運転命令が出力されたものとする（Ｓ１０）。
【００４８】
救急隊対応運転命令が出力された第３エレベータ２０−３では、制御装置２８の動作が通常運転制御から救急隊対応運転制御に切り替えられる（Ｓ１１）。
【００４９】
制御装置２８における救急隊対応運転制御への切り替え処理について、図７のフローチャートを参照して説明する。
【００５０】
制御装置において救急隊対応運転命令が取得されると救急隊対応運転制御切り替え処理が開始され、救急隊対応運転を行う第３エレベータ２０−３の各階のホール案内表示画面２２に救急隊対応運転中である旨を報知するための表示が行われる。また、第３エレベータ２０−３のホール呼びボタン群２３が操作されたことにより既に登録されたホール呼び登録がキャンセルされるとともに、以後のホール呼び登録の受け付けが禁止される（Ｓ５１）。
【００５１】
次に、この第３エレベータ２０−３の乗りかご２４が基準階である１階にあるか否かが判定され、乗りかご２４が１階にいないと判定されたとき（Ｓ５２の「YES」）は、当該第３エレベータ２０−３のかご内ボタン群２７の操作による行き先登録があるか否かがさらに判定される（Ｓ５３）。
【００５２】
ここで行き先登録があるとき（Ｓ５３の「YES」）には、この行き先登録がキャンセルされ、新たな行き先登録の受け付けも禁止されるとともに、かご内案内表示画面２６に救急隊対応運転に切り替える旨を報知するための表示が行われ、さらに音声出力装置２５から乗りかご２４内に同内容の案内が放送される（Ｓ５４）。
【００５３】
そして、ステップＳ５４の処理が実行されると、第３エレベータ２０−３の乗りかご２４が基準階である１階に直行運転され、救急隊対応専用運転に切り替えられる（Ｓ５５）。また、ステップＳ５３において行き先登録がないと判定されたとき（Ｓ５３の「NO」）にも、第３エレベータ２０−３の乗りかご２４が基準階である１階に直行運転され、救急隊対応専用運転に切り替えられる（Ｓ５５）。ステップＳ５２において乗りかご２４が１階にあると判定されたとき（Ｓ５２の「NO」）には、そのまま救急隊対応専用運転に切り替えられる。以上により救命専用運転制御切り替え処理が終了する。
【００５４】
図３のフローチャートに戻り、第３エレベータ２０−３の制御装置２８において、さらに救急隊対応制御処理が実行される（Ｓ１２）。救急隊対応制御処理について、図８のフローチャートを参照して説明する。
【００５５】
第３エレベータ２０−３の制御装置２８において救急隊対応制御へ切り替えられ救急隊対応制御処理が開始されると、乗りかご２４が基準階である１階で戸開し、待機する（Ｓ６１）。
【００５６】
乗りかご２４が戸開すると、図５のステップＳ３８で記憶された目的階がエレベータ群管理装置３０のＥＬ認識部３２から取得され、第３エレベータ２０−３の制御装置２８に行き先階として自動登録される（Ｓ６２）。
【００５７】
次に、かご内案内表示画面２６に当該第３エレベータ２０−３への誤乗車防止のための表示が行われ、さらに音声出力装置２５から乗りかご２４内に同内容の案内が放送される（Ｓ６３）。
【００５８】
次に、乗りかご２４が戸開している状態で一定時間内に、到着した救急隊によりかご内ボタン群２７の戸閉ボタンが操作される（Ｓ６４の「YES」）と乗りかご２４が戸閉され、誤乗車防止の案内放送が停止される（Ｓ６５）。
【００５９】
次に、行き先階として自動登録された目的階である４階に乗りかご２４が直行運転される（Ｓ６６）。目的階である４階に乗りかご２４が到着すると戸開し、待機する（Ｓ６７）。
【００６０】
乗りかご２４が戸開すると、音声出力装置２５から乗りかご２４内に誤乗車防止のための案内放送が再開される（Ｓ６８）。
【００６１】
そして乗りかご２４が戸開している状態で一定時間内に、到着した救急隊によりかご内ボタン群２７の戸閉ボタンが操作される（Ｓ６９の「YES」）と乗りかご２４が戸閉され、誤乗車防止の案内放送が停止される（Ｓ７０）。
【００６２】
次に、基準階である１階に乗りかご２４が直行運転される（Ｓ７１）。基準階である１階に乗りかご２４が到着すると戸開し、待機する（Ｓ７２）。
【００６３】
ここで、再度救急隊が目的階との間を行き来することが想定されるため、一定期間が経過するまでの間はステップＳ７２で戸開、待機しているときには記憶した目的階が行き先階として自動登録される（Ｓ６２）とともにかご内案内表示画面２６に当該第３エレベータ２０−３への誤乗車防止のための表示が行われ、さらに音声出力装置２５から乗りかご２４内に同内容の案内が放送される（Ｓ６３）。
【００６４】
そして救急隊により再度戸閉ボタンが操作されたときにはステップＳ６５〜Ｓ７２の処理が実行され、ステップＳ６４において一定期間内に戸閉ボタンが操作されなかったとき（Ｓ６４の「NO」）、ステップＳ６９において一定期間内に戸閉ボタンが操作されなかったとき（Ｓ６９の「NO」）、またはステップＳ７３において一定期間経過したと判定されたとき（Ｓ７３の「YES」）には、当該第３エレベータ２０−３が救急隊対応制御から通常運転制御に切り替えられ、かご内案内表示画面２６の誤乗車防止の表示が終了され、また自動登録された目的階の行き先登録がキャンセルされる（Ｓ７４）。
【００６５】
以上の第１実施形態によれば、ＡＥＤが取り外されると、ＡＥＤ設置階に最も早く到着するエレベータを通常運転から救命専用運転制御に切り替えて乗りかごをＡＥＤ設置階に直行運転させるため、ＡＥＤを持った介護者が患者のいる階へ迅速に向かうことができる。またこのとき、介護者が向かった目的階を記憶しておき、救急隊がかけつけたときに救急隊が到着する基準階から当該目的階へエレベータを直行運転させるため、救急隊が迅速に患者のいる階へ向かうことができる。また救急隊が到着したときは、寝台エレベータや大きめのエレベータを優先的に選択して使用させるため、患者の搬送をし易くすることができる。また、救急隊が患者を搬送する際、患者のいる階から基準階へエレベータを直行運転させるため、迅速に患者を搬送することができる。
【００６６】
《第２実施形態》
本発明の第２実施形態として、ＡＥＤを収納するＡＥＤ収納装置と複数のエレベータを管理するエレベータ群管理装置とが信号接続されていない場合の救命支援システムについて説明する。
【００６７】
第２実施形態による救命活動支援のためのエレベータシステムを利用した救命支援システムの構成について、図９を参照して説明する。
【００６８】
本実施形態による救命支援システム２の構成部分のうち、第１実施形態と同様の機能を有する部分の詳細な説明は省略する。救命支援システム２は、図９に示すように、ＡＥＤ収納装置１０は、着脱可能な状態で収納されたＡＥＤ１１と、このＡＥＤ１１が取り外されたときまたはＡＥＤ収納装置１０の扉（図示せず）が開けられたときにこれを検知するＡＥＤ取り外し検知部１２と、ＡＥＤ取り外し検知部１２でＡＥＤ１１の取り外しまたは扉の開放が検知されたときにＡＥＤ取り外し信号としての警報音を鳴動させる警報音出力部１４とを有する。
【００６９】
また、第１エレベータ２０−１〜第４エレベータ２０−４は、第１実施形態において説明したホールドア２１〜制御装置２８に加え、ＡＥＤ１１設置階のエレベータホールに図１０に示すように警報音検知装置２９が設置されている。
【００７０】
警報音検知装置２９は、ＡＥＤ収納装置１０の警報音出力部１４から警報音が出力されたときにこれを検知して警報音検知信号を生成し、エレベータ群管理装置３０に出力する。
【００７１】
エレベータ群管理装置３０は、送受信部３３と、警報音検知信号入力部３４と、ＥＬ認識部３２とを有する。
【００７２】
送受信部３３は、第１エレベータ２０−１〜第４エレベータ２０−４の制御装置２８との情報の送受信を行う。
【００７３】
警報音検知信号入力部３４は、ＡＥＤ収納装置１０設置階のエレベータの警報音検知装置２９から出力された警報音検知信号を入力する。
【００７４】
ＥＬ認識部３２は、警報音検知信号入力部３４から警報音検知信号が入力されたときに、第１エレベータ２０−１〜第４エレベータ２０−４の中から救命活動に利用するエレベータを認識し、救命運転命令を出力する。
【００７５】
〈第２実施形態による救命活動支援のためのエレベータ制御装置を利用した救命支援システムの動作〉
次に、本実施形態による救命支援システム２の動作について、図１１のフローチャートを参照して説明する。
【００７６】
まず通常時には第１実施形態と同様に、当該建物の第１エレベータ２０−１〜第４エレベータ２０−４はそれぞれの制御装置２８により通常運転制御が行われる（Ｓ８１、Ｓ８２）。
【００７７】
通常運転制御が行われている状態で、当該建物内で病人が発生したときに、介護にあたる者がＡＥＤ収納装置１０の設置階（本実施形態においては「１階」とする。）に行き収納されているＡＥＤ１１を取り外すと、ＡＥＤ収納装置１０のＡＥＤ取り外し検知部１２においてＡＥＤ１１の取り外しが検知される。そして、警報音出力部１４によりＡＥＤ取り外しを報知するための警報音が鳴動される（Ｓ８３）。
【００７８】
ＡＥＤ収納装置１０の警報音出力部１４から警報音が鳴動されると、ＡＥＤ収納装置１０の設置階である１階のエレベータホールの警報音検知装置２９において警報音が検知されて警報音検知信号が生成され、エレベータ群管理装置３０に出力される（Ｓ８４）。
【００７９】
エレベータ群管理装置３０では、エレベータ２０−１〜２０−４の警報音検知装置２９で生成された警報音検知信号が送受信部３３から入力され、ＥＬ認識部３２に送出される。警報音検知信号が取得されたＥＬ認識部３２では、第１エレベータ２０−１〜第４エレベータ２０−４の中からＡＥＤ収納装置１０の設置階である１階に最も早く到着可能なエレベータが救命活動に利用するエレベータとして認識される（Ｓ８５）。そして認識されたエレベータに、救命運転命令が出力される（Ｓ８６）。
【００８０】
以後、ステップＳ８７〜Ｓ９２の処理は、第１実施形態におけるステップＳ７〜Ｓ１２の処理と同様であるため、詳細な説明は省略する。
【００８１】
以上の第２実施形態によれば、ＡＥＤ収納装置とエレベータ群管理装置とが物理的に接続されていなくても、エレベータ群管理装置でＡＥＤの取り外しを検知することができ、簡易な構成で救命支援システムを構築することができる。
【００８２】
《他の実施形態》
本発明の他の形態について、図１２のフローチャートを参照して説明する。本実施形態では、上述した第１実施形態または第２実施形態で説明した救命専用運転制御処理においてＡＥＤ設置階で戸開した乗りかごに介護者が乗り込んだとき、または救急隊対応制御処理において基準階で戸開した乗りかごに救急隊が乗り込んだとき（Ｓ１０１）に、予め設定されたパスワードが入力されると（Ｓ１０２の「YES」）、乗り込んだ人が救命活動に関係している介護者や救急隊であると認識し、エレベータの行き先登録を可能にする（Ｓ１０３）。
【００８３】
このパスワードとしては例えば、乗りかご２４に人が乗り込んで通常であれば戸閉ボタンが操作されるときに、敢えて戸開ボタンが操作されるとこれをパスワードとして認識することが考えられる。予め設定されたパスワードの入力操作については、ＡＥＤ１１が取り外されたときに認識できるように情報を添付しておいたり、救急隊に予め知らせておくなどして、救命活動に関係する介護者や救急隊に認識させることができる。
【００８４】
ここで救命活動に関係のない人が乗り込み、戸閉ボタンや行き先ボタンを操作しようとして正しいパスワードが入力されなかったと判定されると（Ｓ１０２の「NO」）、緊急対応中であるため当該エレベータの利用ができない旨の案内放送が音声出力装置２５から出力される（Ｓ１０４）。
【００８５】
このようにエレベータの操作に認証処理を組み込むことで、救命専用運転制御処理中および救急隊対応制御処理中に、救命活動に関係しない人によるエレベータの使用により救命活動が妨げられることを防止することができる。
【００８６】
また、上述した第１実施形態および第２実施形態においては、複数のエレベータを統括して管理するエレベータ群管理装置を設置し、このエレベータ群管理装置において救命活動に利用するエレベータを認識する場合について説明したが、エレベータ群管理装置を設置せず図１３に示す救命支援システム３のように複数のエレベータの制御装置４０−１〜４０−３を相互に接続し、情報を交換することにより自エレベータが救命専用運転や救急隊対応運転に切り替えるべきかを判断して運転するようにしてもよい。
【００８７】
この場合、各エレベータの制御装置４０−１〜４０−３はそれぞれ、ＡＥＤ取り外し信号入力部４１−１〜４１−３と、ＥＬ認識部４２−１〜４２−３と、運転制御部４３−１〜４３−３とを有する。
【００８８】
ＡＥＤ取り外し信号入力部４１−１〜４１−３は、ＡＥＤ収納装置１０のＡＥＤ取り外し信号出力部１３から出力されたＡＥＤ取り外し信号を入力する。ＥＬ認識部４２−１〜４２−３は、ＡＥＤ取り外し信号入力部３１からＡＥＤ取り外し信号が入力されたときに、自エレベータが救命活動に利用すべきエレベータであるか否かを判定する。救命活動に利用すべきエレベータであるか否かは、ＡＥＤ設置階に最も早く到着できるエレベータであるか、大きめのエレベータであるか、基準階に最も早く到着できるエレベータであるか等について他のエレベータの制御装置と情報交換することにより判断する。そして、救命活動に利用すべきであると認識されたエレベータの運転制御部４３−１〜４３−３のいずれかが、当該エレベータの運転を救命活動のための救命専用運転や救急隊対応運転に切り替える。
【００８９】
このように構成することにより、エレベータ群管理装置３０を新たに設けることなく、簡易な構成で救命支援システムを構築することができる。
【００９０】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００９１】
１〜３…救命支援システム
１０…ＡＥＤ収納装置
１１…ＡＥＤ
１２…ＡＥＤ取り外し検知部
１３…ＡＥＤ取り外し信号出力部
１４…警報音出力部
２０−１〜２０−４…第１エレベータ〜第４エレベータ
２１…ホールドア
２２…ホール案内表示画面
２３…ホール呼びボタン群
２４…乗りかご
２５…音声出力装置
２６…かご内案内表示画面
２７…かご内ボタン群
２８…制御装置
２９…警報音検知装置
３０…エレベータ群管理装置
３１…ＡＥＤ取り外し信号入力部
３２…ＥＬ認識部
３３…送受信部
３４…警報音検知信号入力部
４０−１〜４０−３…エレベータ制御装置
４１−１〜４１−３…ＡＥＤ取り外し信号入力部
４２−１〜４２−３…ＥＬ認識部
４３−１〜４３−３…運転制御部
【図１】
2013049522.tif 000003
【図２】
2013049522.tif 000004
【図３】
2013049522.tif 000005
【図４】
2013049522.tif 000006
【図５】
2013049522.tif 000007
【図６】
2013049522.tif 000008
【図７】
2013049522.tif 000009
【図８】
2013049522.tif 000010
【図９】
2013049522.tif 000011
【図１０】
2013049522.tif 000012
【図１１】
2013049522.tif 000013
【図１２】
2013049522.tif 000014
【図１３】
2013049522.tif 000015